(57)【要約】【課題】インパクトの瞬間の抵抗が極力小さくなり、且つ高さの調節も容易なゴルフティーを提供することを目的とする。【解決手段】底板部１に複数本の支柱部２が垂直に、且つ環状に立設され、隣り合う前記支柱部２同士を連結するための連結部３が前記支柱部２と一体に形成される練習用ゴルフティーＡ。また、前記連結部３が支柱部２の長手方向に沿って、所定の間隔を空けて複数個形成される練習用ゴルフティーＡ。また、前記支柱部の先端部が底板部の中央部に向かって下降する方向に傾斜する練習用ゴルフティー【選択図】図１
2008029452.tif 000002
【特許請求の範囲】
【請求項１】
底板部に複数本の支柱部が垂直に、且つ環状に立設され、隣り合う前記支柱部同士を連結するための連結部が前記支柱部と一体に形成されることを特徴とする練習用ゴルフティー。
【請求項２】
前記連結部が支柱部の長手方向に沿って、所定の間隔を空けて複数個形成されることを特徴とする請求項１記載の練習用ゴルフティー。
【請求項３】
前記支柱部の先端部に、底板部の中央部に向かって下降する方向に傾斜する傾斜面が形成されることを特徴とする請求項１記載の練習用ゴルフティー。
【請求項４】
底板部の上に、前記各支柱部が一体となることで、円筒一体部が形成されることを特徴とする請求項１記載の練習用ゴルフティー。
【請求項５】
前記連結部の下面が、底板部の中央部に向かって下降する方向に傾斜していることを特徴とする請求項１記載の練習用ゴルフティー。
【請求項６】
熱可塑性エラストマー、合成ゴムまたは天然ゴムで形成されることを特徴とする請求項１記載の練習用ゴルフティー。
【請求項７】
請求項１記載のゴルフティーにおいて、前記連結部の下面から切断して切り離された分離ゴルフティー。
【発明の詳細な説明】
【技術分野】
【０００１】
本発明は、練習用のゴルフティーに関する。
【背景技術】
【０００２】
従来から、ゴルフの練習を行う際には、例えば、芝生を模したマットであるゴルフマットと、ゴルフマットに取り付けられる練習用ゴルフティー（特許文献１参照）とが用いられる。
【０００３】
練習用ゴルフティーは、その先端部にゴルフボールが載置されることで、ゴルフボールを地面から所定の高さまで持ち上げた状態にするものである。
練習用ゴルフティーのうち、「ヘソティー」と呼ばれる練習用ゴルフティーは、図１１に示すように、地面に載置される部分の底板部１と、該底板部に対して垂直に立設する円筒形のゴルフボール支持部Ｔとよりなる。
ゴルフボール支持部Ｔの先端にゴルフボールを載置することで、ゴルフボールは地面から一定の高さ持ち上げられる。
【特許文献１】特開２００５−１３７６２１号公報
【発明の開示】
【発明が解決しようとする課題】
【０００４】
しかし、通常、ゴルフコースの現場では、ゴルフティーは単に地面に突き刺して用いるのでゴルフクラブを振ったインパクトの際、抵抗が少ないが、従来の練習用ゴルフティーはゴルフマットに取り付けられているのでインパクトの瞬間に、大きな抵抗が生じる。
しかも練習用ゴルフティーのゴルフボール支持部は円筒形であるため、比較的屈曲性が悪く硬い。
そのため、インパクトの瞬間の抵抗はさらに大きなものとなる。
【０００５】
一方、使用する練習用ゴルフティーの適切な高さは、ウッドやアイアン等の使用するクラブの種類によって異なる。そのため、ゴルファーはクラブ毎に練習用ゴルフティーを購入する必要がある。
しかし、市販されている練習用ゴルフティーは規格品であるため、その高さの種類は限られている。
そのため、万が一、購入した練習用ゴルフティーの高さがゴルファーに合わない場合には、ゴルファーはその練習用ゴルフティーを自ら切断して、練習用ゴルフティーを適切な高さに調節する必要があった。
【０００６】
しかし、練習用ゴルフティーのゴルフボール支持部は、一定の厚みを有する円筒形で、且つ架硫ゴム製であるので硬く、ゴルフボール支持部を切断することは必ずしも容易ではない。
また、切断したとしても切断面の状態がいびつになり、ゴルフボールがこぼれ落ちたりして、ゴルフボールを安定的にゴルフボール支持部に載置することができなくなる問題があった。
【０００７】
また、従来の練習用ゴルフティーには、ゴルフボール支持部の長さを示す目印がなく、ゴルファーは練習用ゴルフティーを、正確に所望の高さに切断することができなかった。
【０００８】
本発明は以上の課題を解決すべく開発されたものである。
すなわち、本発明はインパクトの瞬間の抵抗が極力小さくなり、且つ高さの調節も容易なゴルフティーを提供することを目的とする。
【課題を解決するための手段】
【０００９】
本発明者は、以上のような課題背景をもとに鋭意研究を重ねた結果、底板部に複数本の支柱部を環状に設け且つそれらを連結するための連結部を設けることで上記の課題を解決できることを見出し、その知見に基づいて本発明を完成させたものである。
【００１０】
すなわち本発明は、（１）底板部に複数本の支柱部が垂直に、且つ環状に立設され、隣り合う前記支柱部同士を連結するための連結部が前記支柱部と一体に形成される練習用ゴルフティーに存する。
なお、本発明において「環」とは真円だけでなく、楕円や多角形等の閉じた図形を含む概念である。
【００１１】
また本発明は、（２）前記連結部が支柱部の長手方向に沿って、所定の間隔を空けて複数個形成される上記（１）記載の練習用ゴルフティーに存する。
【００１２】
また本発明は、（３）前記支柱部の先端部に、底板部の中央部に向かって下降する方向に傾斜する傾斜面が形成される上記（１）記載の練習用ゴルフティーに存する。
【００１３】
また本発明は、（４）底板部の上に、前記各支柱部が一体となることで、円筒一体部が形成される上記（１）記載の練習用ゴルフティーに存する。
【００１４】
また本発明は、（５）前記連結部の下面が、底板部の中央部に向かって下降する方向に傾斜している上記（１）記載の練習用ゴルフティーに存する。
【００１５】
また本発明は、（６）熱可塑性エラストマー、合成ゴムまたは天然ゴムで形成される上記（１）記載の練習用ゴルフティーに存する。
【００１６】
また本発明は、（７）上記（１）記載のゴルフティーにおいて、前記連結部の下面から切断して切り離された分離ゴルフティーに存する。
【００１７】
なお、本発明の目的に添ったものであれば上記（１）から（７）を適宜組み合わせた構成も採用可能である。
【発明の効果】
【００１８】
本発明の練習用ゴルフティーは、底板部に複数本の支柱部が垂直に、且つ環状に立設され、隣り合う前記支柱部同士を連結するための連結部が前記支柱部と一体に形成されるので、前記支柱部と連結部とにより必然的に複数個の貫通窓が形成される。
【００１９】
貫通窓が形成されることで、ゴルフボールを載置するゴルフボール支持部の屈曲性が高まり、インパクトの瞬間に生ずる抵抗力が極力軽減される。
【００２０】
連結部が支柱部の長手方向に沿って所定の間隔で複数個備えられているので、ゴルファーは連結部を目安に切断後の高さを容易に把握することができる。
また、ゴルファーは連結部に沿って支柱を切断するだけで、練習用ゴルフティーを容易に切り取ることができる。
【００２１】
連結部の下面は底板部の中央部に向かって傾斜しているので、ゴルファーは連結部の下面に沿って支柱部を切断することにより、全ての支柱の切断面を同じ傾斜角度で傾斜させることができる。
また、ゴルファーは切断面の地面からの高さも全体的に同じにすることができる。
その結果、ゴルフボールは切断後の練習用ゴルフティーにも安定した状態で載置される。
【００２２】
支柱部の先端部に、底板部の中央部に向かって傾斜する傾斜面が形成されているので、上記先端部にゴルフボールが載置された際、ゴルフボールは上記先端部の縁だけで支えられる。
その結果、上記先端部とゴルフボールとの間の摩擦力が低減する。
【００２３】
支柱部が一体となり円筒一体部が形成されることで、ゴルフボール支持部のなかでこの部分のみ剛性が高まる。
その結果、ゴルフボールがゴルフボール支持部に載置された際、ゴルフボール支持部はゴルフボールの重量によって座屈を発生させること無く、起立状態を維持することができる。
【発明を実施するための最良の形態】
【００２４】
〔第一の実施形態〕
図面を用いて、本発明の一実施形態について説明する。
図１は、本実施形態に係る練習用ゴルフティーを示す斜視図であり、図２は本実施形態に係る練習用ゴルフティーの正面図及び上面図であり、図３は図２（ａ）に示すＡ−Ａ線断面図であり、また図４は図２（ａ）に示すＢ−Ｂ線断面図である。
【００２５】
図１に示すように、本実施形態に係る練習用ゴルフティーＡは、地面に載置される平板状の底板部１と、該底板部１の上に立設される複数本（図中では８本）の支柱部２と、該支柱部２同士を一体連結するための連結部３とからなる。
なお、底板部１には、本実施形態に係る練習用ゴルフティーＡを地面に固定するための固定孔Ｅが形成されることが好ましい。
【００２６】
それぞれの支柱部２は、底板部１から環状に立設され、先端にゴルフボールを載置させるためのゴルフボール支持部Ｔを形成する。
このとき、それぞれの支柱部２は等間隔に立設されることが好ましい。
それぞれの支柱部２が等間隔に立設されることで、ゴルフボール支持部Ｔの先端にゴルフボールが安定的に載置される。
【００２７】
底板部１に立設される支柱部２の本数は特に限定されないが、ゴルフボール載置部Ｔの屈曲性と、ゴルフボール支持部Ｔにゴルフボールが載置された際の安定性との両方の観点から３本〜１０本であることが好ましい。
すなわち、支柱部２の本数が３本よりも少ないと、ゴルフボールは支柱部２の先端部２１に安定して載置されにくい。
また、支柱部２の本数が１０本よりも多いと、ゴルフボール支持部Ｔの屈曲性が低下し、インパクト時の抵抗力が大きくなる。
【００２８】
底板部１のすぐ上には、各支柱部２が一体となった、円筒一体部４が形成される。
円筒一体部４がゴルフボール支持部Ｔの下方に形成されることで、練習用ゴルフティーＡがゴルフマットに挿入された際に、ゴルフボール支持部Ｔは安定に起立状態を保つ。
すなわち、円筒一体部４の屈曲性は、円筒一体部４の上方に形成される支柱部２に比べて小さく、いわゆる剛性がある。
練習用ゴルフティーＡがゴルフマットに取り付けられた場合、円筒一体部４が変形しにくいので練習用ゴルフティーＡ（特に支柱部２）はゴルフマットの孔に的確に保持されるのである（図１参照）。
【００２９】
支柱部２の先端部２１には、底板部１の中央部に向かって下降する方向に傾斜する傾斜面２２が形成される（図３及び図４参照）。
図５は図４の練習用ゴルフティーの上にゴルフボールを載置した状態を示す図である。
図５に示すように、先端部２１に傾斜面が形成されることで、ゴルフボールが先端部２１に載置された際、ゴルフボールは各支柱部２の外側の縁で支持される。
そのため、ゴルフボールと練習用ゴルフティーＡとの接触面積が極力少なくなり、両者間の摩擦力が低下する。
【００３０】
ここで、傾斜面２２の傾斜角度は、俯角６５°以上俯角７５°以下であることが好ましい。
傾斜面２２の傾斜角度が俯角６５°よりも小さいと、ゴルフボール（通常使われるもの）が先端部２１に載置された際に、ゴルフボールが傾斜面２２に接触し易くなる。
傾斜面２２の傾斜角度が俯角７５°よりも大きいと、先端部２１が極度に先細り、ゴルフボールを支持する支持力が低下する。そのため、ゴルフボール支持部Ｔがゴルフボールを支えにくくなる。
【００３１】
ここで支柱部２群が形成する環の直径Ｄは、８ｍｍ以上２０ｍｍ以下であることが好ましい（図２（ａ）参照）。
直径Ｄが８ｍｍよりも小さいと、ゴルフボールの支持安定性が悪くなり、直径Ｄが２０ｍｍよりも大きいと、ゴルフボールとの抵抗が大きくなる。
また、直径Ｄが２０ｍｍよりも大きいと、現在市販されているゴルフマットへの設置が困難になる。
【００３２】
一方、連結部３は支柱部２同士を連結するためのもので、支柱部２の長手方向に対して垂直方向（以下「周方向」という。）に支柱部２と一体に環状に形成される（図１参照）。
連結部３が支柱部２に環状に形成されることで、ゴルフボール支持部Ｔには必然的に
複数個の貫通窓Ｗが形成される。
この貫通窓Ｗが形成されることで、ゴルフボール支持部Ｔの屈曲性が大きくなり、インパクト時の抵抗が減少するのである。
【００３３】
この連結部３は支柱部２の長手方向に沿って、所定の間隔（例えば１０ｍｍ間隔）を置いて複数個形成されることが好ましい。
連結部３が所定の間隔を置いて形成されることで、連結部３が練習用ゴルフティーＡを切断する際の目安となる。そのため、ゴルファーは切断後のゴルフボール支持部Ｔ長さ、すなわちゴルフボールが地面から持ち上がる高さを容易に把握することができる。
【００３４】
連結部３の下面は底板部１の中央部に向かって下降する方向に傾斜している（図４参照）。ゴルファーは連結部３の下面に沿って支柱部２を切断することで、各支柱部２の切断面の傾斜角度を容易に同じにすることができる。
連結部３の下面の傾斜角度は、傾斜面２２の傾斜角度と同様に俯角６５°以上俯角７５°以下であることが好ましい。
【００３５】
本実施形態に係る練習用ゴルフティーＡは、形態復元性に優れる、例えば熱可塑性エラストマー、合成ゴム、天然ゴム等のエラストマー用いて、主として射出成形により製造されるが、製造方法はこれに限定されない。
【００３６】
熱可塑性エラストマーで製造された本実施形態に係る練習用ゴルフティーＡは、架硫
ゴムで作られた上記練習用ゴルフティーＡより大きな屈曲性を有する。
また、熱可塑性エラストマーで製造された上記練習用ゴルフティーＡは、架硫ゴムよりも切断し易く、そのため、その高さを容易に調節することができる。
【００３７】
図６は、本実施形態に係る練習用ゴルフティーをゴルフマットと共に使用する際の使用例を示す説明図である。
図に示すように、本実施形態に係る練習用ゴルフティーＡは、ゴルフ場の芝を模したゴルフマット５に空けられた孔Ｈに、ゴルフマット５の裏側から挿入されることにより取り付けられる。
その状態でゴルフボールＢはゴルフボール支持部Ｔの先端部に載置される。
ゴルフボールＢがゴルフボール支持部Ｔの先端部に載置されることで、ゴルフボールＢは支柱部２の高さＬまで持ち上げられた状態になる。
【００３８】
次に図７及び図８は、本実施形態に係る練習用ゴルフティーの切断例を断面で示す説明図である。
図７は切断前、図８は切断後の状態を示す。
図７に示すように、本実施形態に係る練習用ゴルフティーＡの一切断例として、連結部３の下面に沿って切断する方法がある。
【００３９】
連結部３の下面に沿って切断することで、図８に示すように、切断した後の練習用ゴルフティーＡの先端部も傾斜した状態にすることができる。
また、連結部３の下面に沿って切断することで、切り口の高さが支柱部ごとに異なって全体的にいびつとなるような事態を回避することができる。
ここで切断して切り離された部分は分離ゴルフティーＣとして独立して使えるものとなる。
【００４０】
図９は、分離ゴルフティーＣを、ゴルフティーとして単独で用いた状態を示す説明図である。
図に示すように、分離ゴルフティーＣは、連結部がそのまま露出した形状であるので地面に載置されることにより、小型のゴルフティー（例えば、ショートコース用）として使用可能である。
【００４１】
すなわち地面が安定である場合には、図９の（ａ）に示すように、分離ゴルフティーＣの支柱部の先端部を上方に向け、その先端部にゴルフボールを乗せて使用する。
【００４２】
地面が不安定な場合には、図９の（ｂ）に示すように、支柱部の先端部を下方に向けて分離ゴルフティーＣを地面に置いて使用する。
このように、分離ゴルフティーＣは、上下を逆にして使える利点がある。
【００４３】
図１０は、本実施形態に係る練習用ゴルフティーと分離ゴルフティーとを嵌合させた状態を示す正面図である。
図に示すように、分離ゴルフティーＣの支柱部Ｃ１を本実施形態に係る練習用ゴルフティーＡの支柱部２の間に差し込むことで、分離ゴルフティーＣは練習用ゴルフティーＡに仮保持される。
【００４４】
分離ゴルフティーＣと練習用ゴルフティーＡとを仮保持させて、保管したり、持ち運んだりすることで、分離ゴルフティーＣを紛失するようなことが回避され便利である。
【００４５】
以上、本発明を説明してきたが、本発明は実施の形態に限定されることなく種々の変形例が可能である。
例えば、支柱部の形状は矩形状、円形状等種々の形が採用可能である。
その場合、貫通窓Ｗは異なった形状となる。
また円筒一体部のゴルフボール支持部に占める大きさは、ゴルフマットに対する取り付け安定性やゴルフボール支持部の屈曲性の観点から適宜決定される。
【図面の簡単な説明】
【００４６】
【図１】図１は、本実施形態に係る練習用ゴルフティーを示す斜視図である。
【図２】図２は、本実施形態に係る練習用ゴルフティーの正面図及び上面図である。
【図３】図３は、図２（ａ）に示すＡ−Ａ線断面図である。
【図４】図４は、図２（ａ）に示すＢ−Ｂ線断面図である。
【図５】図５は、図４の練習用ゴルフティーの上にゴルフボールを載置した状態を示す図である。
【図６】図６は、本実施形態に係る練習用ゴルフティーをゴルフマットと共に使用する際の使用例を示す説明図である。
【図７】図７は、本実施形態に係る練習用ゴルフティーの切断例を断面で示す説明図である。
【図８】図８は、本実施形態に係る練習用ゴルフティーの切断例を断面で示す説明図である。
【図９】図９は、分離ゴルフティーを、ゴルフティーとして単独で用いた状態を示す説明図である。
【図１０】図１０は、本実施形態に係る練習用ゴルフティーと分離ゴルフティーとを嵌合させた状態を示す正面図である。
【図１１】図１１は、従来の練習用ゴルフティーを示す斜視図である。
【符号の説明】
【００４７】
Ａ練習用ゴルフティー
Ｂゴルフボール
Ｃ分離ゴルフティー
Ｃ１支持部
Ｅ固定孔
Ｈ孔
Ｔゴルフボール支持部
Ｗ貫通窓
１底板部
２支柱部
２１先端部
２２傾斜面
３連結部
４円筒一体部
５ゴルフマット
【図１】
2008029452.tif 000003
【図２】
2008029452.tif 000004
【図３】
2008029452.tif 000005
【図４】
2008029452.tif 000006
【図５】
2008029452.tif 000007
【図６】
2008029452.tif 000008
【図７】
2008029452.tif 000009
【図８】
2008029452.tif 000010
【図９】
2008029452.tif 000011
【図１０】
2008029452.tif 000012
【図１１】
2008029452.tif 000013